(57)【要約】【課題】三角保護板が落下せずに破損した場合でも、三角保護板が破損したことを検知できるエスカレータ及びエスカレータの制御方法を提供する。【解決手段】エスカレータは、無端状に連結されたステップと、ステップを回転運行させる駆動部と、無端状のベルトを含む手すりと、手すりを回転可能に支持する欄干と、欄干の三角保護板に設置された反射板に対応する位置に設置され、三角保護板の有無を検知するセンサと、センサの出力に基づいて三角保護板がないと判定した場合、管理装置に対して警告を送信する制御部と、を備える。【選択図】図３
2015168538.tif 000002
【特許請求の範囲】
【請求項１】
無端状に連結されたステップと、
前記ステップを回転運行させる駆動部と、
無端状のベルトを含む手すりと、
前記手すりを回転可能に支持する欄干と、
前記欄干の三角保護板に設置された反射板に対応する位置に設置され、前記三角保護板の有無を検知するセンサと、
前記センサの出力に基づいて前記三角保護板がないと判定した場合、管理装置に対して警告を送信する制御部と、
を備えるエスカレータ。
【請求項２】
前記制御部は、
前記管理装置から前記駆動部を停止させる旨の指示を受信した場合、前記駆動部を停止させる請求項１記載のエスカレータ。
【請求項３】
音声を生成する発声部をさらに備え、
前記制御部は、
前記駆動部を停止させる際、前記発声部から警報を音声にて発報する請求項２記載のエスカレータ。
【請求項４】
制御部が、
無端状のベルトを含む手すりを回転可能に支持する欄干の三角保護板に設置された反射板に対応する位置に設置され、前記三角保護板の有無を検知するセンサの出力に基づいて前記三角保護板がないと判定した場合、管理装置に対して警告を送信するエスカレータの制御方法。
【請求項５】
前記制御部は、
前記管理装置から無端状に連結されたステップを回転運行させる駆動部を停止させる旨の指示を受信した場合、前記駆動部を停止させる請求項４記載のエスカレータの制御方法。
【請求項６】
前記制御部は、
前記駆動部を停止させる際、音声を生成する発声部から警報を音声にて発報する請求項５記載のエスカレータの制御方法。
【発明の詳細な説明】
【技術分野】
【０００１】
本発明の実施形態は、エスカレータ及びエスカレータの制御方法に関する。
【背景技術】
【０００２】
エスカレータの側面には、下階から上階に上る途中の下階の天井に三角保護板が設置される。この三角保護板は、人や物がエスカレータと天井との間に挟まれることを防止するために安全上設置されるものである。
【０００３】
しかし、この三角保護板は物がぶつかって破損することがある。破損した三角保護板は、その機能を損なうだけでなく危険でもある。
【０００４】
この点に関し、建物側に三角保護板の落下を検知する検知装置を備えるエスカレータが提案されている。
【０００５】
しかし、この技術によっては、三角保護板が落下せずに破損している場合は検知できない。
【先行技術文献】
【特許文献】
【０００６】
【特許文献１】特開２００２−１２８４４８号公報
【発明の概要】
【発明が解決しようとする課題】
【０００７】
従って、本実施形態は三角保護板が落下せずに破損した場合でも、三角保護板が破損したことを検知できるエスカレータ及びエスカレータの制御方法を提供することを目的とする。
【課題を解決するための手段】
【０００８】
上記の課題を解決するために、一実施形態は無端状に連結されたステップと、ステップを回転運行させる駆動部と、無端状のベルトを含む手すりと、手すりを回転可能に支持する欄干と、欄干の三角保護板に設置された反射板に対応する位置に設置され、三角保護板の有無を検知するセンサと、センサの出力に基づいて三角保護板がないと判定した場合、管理装置に対して警告を送信する制御部と、を備えるエスカレータを提供する。
【図面の簡単な説明】
【０００９】
【図１】エスカレータの側面図である。
【図２】三角保護板のエスカレータ側から見た図である。
【図３】エスカレータの三角保護板付近を示す図である。
【図４】図３におけるエスカレータの欄干部分のＡＡ線断面図である。
【図５】エスカレータの構成を示すブロック図である。
【図６】エスカレータの制御部による動作を示す図である。
【発明を実施するための形態】
【００１０】
以下、エスカレータ及びエスカレータの制御方法の一実施形態について、図面を用いて詳細に説明する。
【００１１】
本実施形態のエスカレータの一実施形態は無端状に連結されたステップと、ステップを回転運行させる駆動部と、無端状のベルトを含む手すりと、手すりを回転可能に支持する欄干と、欄干の三角保護板に設置された反射板に対応する位置に設置され、三角保護板の有無を検知するセンサと、センサの出力に基づいて三角保護板がないと判定した場合、管理装置に対して警告を送信する制御部と、を備える。
【００１２】
図１は、本実施形態に係るエスカレータ１００の側面図である。図１に示すように、エスカレータ１００は、無端状に連結されたステップと、このステップを回転運行させる駆動部と、無端状のベルトを含む手すり１０１と、手すり１０１を回転可能に支持する欄干１０２と、を備える。
【００１３】
エスカレータ１００が設置される建物には、下階から上階に至る途中の下階の天井２００に固定される固定三角保護板２０１Ａと、天井２００から鎖などによって吊り下げられる可動三角保護板２０１Ｂと、が設置される。以下、固定三角保護板２０１Ａと可動三角保護板２０１Ｂとを合わせて三角保護板２０１という。
【００１４】
三角保護板２０１は、下端が手すり１０１よりも下方に位置する長さを有する。
【００１５】
図２は、三角保護板２０１のエスカレータ１００側から見た図である。図２に示すように、固定三角保護板２０１Ａと可動三角保護板２０１Ｂとは、光又は音を反射する反射板２０２をそれぞれ少なくとも１つずつ備える。
【００１６】
図３は、エスカレータ１００の三角保護板２０１付近を示す図である。図４は、図３におけるエスカレータ１００の欄干１０２部分のＡＡ線断面図である。図３及び図４に示すように、エスカレータ１００は、欄干１０２の三角保護板２０１に設置された反射板２０２に対応する位置に、三角保護板２０１の有無を検知するセンサ１０３を備える。
【００１７】
センサ１０３は、光センサ又は超音波センサを用いることができる。すなわち、センサ１０３は、光又は超音波を反射板２０２に向けて照射し、反射板２０２によって反射された光又は音を検知して電気信号を出力する。
【００１８】
センサ１０３は、例えば、反射光又は反射音波を検知した場合「ＯＮ」を、検知しない場合「ＯＦＦ」を出力する。
【００１９】
図５は、エスカレータ１００の構成を示すブロック図である。図５に示すように、エスカレータ１００は、演算装置であるＣＰＵを含む制御部３０１と、メモリ、ハードディスクドライブなどの記憶装置を含む記憶部３０２と、センサ１０３と、駆動部３０３と、音声を生成する発声部３０４と、通信を行う通信部３０５と、を備える。
【００２０】
エスカレータ１００は、通信部３０５及び通信回線網５００を介して管理装置４００と接続する。
【００２１】
管理装置４００は、演算装置であるＣＰＵを含む制御部４０１と、メモリ、ハードディスクドライブなどの記憶装置を含む記憶部４０２と、ディスプレイ、キーボードなどの情報を入出力する入出力部４０３と、音声を生成する発声部４０４と、通信を行う通信部４０５と、を備える。
【００２２】
図６は、エスカレータ１００の制御部３０１による動作を示す図である。図６に示すように、ステップ６０１において、エスカレータ１００は所定時間、例えば３０秒ごとにセンサ１０３を駆動させてセンサ１０３の出力を読み込む。
【００２３】
ステップ６０２において、エスカレータ１００は、センサ１０３の出力に基づいて三角保護板２０１があると判定した場合、ステップ６０１に戻り、三角保護板２０１がないと判定した場合、ステップ６０３に進む。
【００２４】
ステップ６０３において、エスカレータ１００は、管理装置４００に警報を送信する。
【００２５】
ステップ６０４において、管理装置４００はエスカレータ１００から警報を受信する。
【００２６】
ステップ６０５において、管理装置４００は警報を単位時間、例えば３分間当たり閾値回数以上、例えば３回以上受信したかを判定する。管理装置４００は、警報を単位時間当たり閾値回数以上受信したと判定した場合、ステップ６０６に進み、閾値回数受信していないと判定した場合、ステップ６０４に戻る。
【００２７】
ステップ６０６において、管理装置４００はエスカレータ１００に駆動停止指示を送信する。管理装置４００はこれと同時に、入出力部４０３のディスプレイに警報を表示し、発声部４０４から警報を音声にて発報する。
【００２８】
ステップ６０７において、エスカレータ１００はステップの駆動を停止するとともに、発声部３０４から警報を音声にて発報する。
【００２９】
以上述べたように、本実施形態のエスカレータ１００は、無端状に連結されたステップと、このステップを回転運行させる駆動部と、無端状のベルトを含む手すり１０１と、手すり１０１を回転可能に支持する欄干１０２と、欄干１０２の三角保護板２０１に設置された反射板２０２に対応する位置に設置される、三角保護板２０１の有無を検知するセンサ１０３と、センサ１０３の出力に基づいて三角保護板２０１がないと判定した場合、管理装置４００に対して警告を送信する制御部３０１と、を備える。
【００３０】
従って、三角保護板２０１が落下せずに破損した場合でも、三角保護板２０１が破損したことを検知できるという効果がある。
【００３１】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３２】
１０１：手すり
１０２：欄干
１０３：センサ
２０１：三角保護板
【図１】
2015168538.tif 000003
【図２】
2015168538.tif 000004
【図３】
2015168538.tif 000005
【図４】
2015168538.tif 000006
【図５】
2015168538.tif 000007
【図６】
2015168538.tif 000008
【手続補正書】
【提出日】平成27年3月26日(2015.3.26)
【手続補正１】
【補正対象書類名】明細書
【補正対象項目名】０００８
【補正方法】変更
【補正の内容】
【０００８】
上記の課題を解決するために、一実施形態は無端状に連結されたステップと、ステップを回転運行させる駆動部と、無端状のベルトを含む手すりと、手すりを回転可能に支持する欄干と、欄干と対向する方向に欄干と一定の距離を置いて一部重なるように設置された三角保護板と、三角保護板の重なる部分に設置された少なくとも１以上の反射板と、欄干において反射板に対応する位置に設置され、三角保護板の有無を検知するセンサと、センサの出力に基づいて三角保護板がないと判定した場合、管理装置に対して警告を送信する制御部と、を備えるエスカレータを提供する。
【手続補正２】
【補正対象書類名】特許請求の範囲
【補正対象項目名】全文
【補正方法】変更
【補正の内容】
【特許請求の範囲】
【請求項１】
無端状に連結されたステップと、
前記ステップを回転運行させる駆動部と、
無端状のベルトを含む手すりと、
前記手すりを回転可能に支持する欄干と、
前記欄干と対向する方向に前記欄干と一定の距離を置いて一部重なるように設置された三角保護板と、
前記三角保護板の前記重なる部分に設置された少なくとも１以上の反射板と、
前記欄干において前記反射板に対応する位置に設置され、前記三角保護板の有無を検知するセンサと、
前記センサの出力に基づいて前記三角保護板がないと判定した場合、管理装置に対して警告を送信する制御部と、
を備えるエスカレータ。
【請求項２】
前記制御部は、
前記管理装置から前記駆動部を停止させる旨の指示を受信した場合、前記駆動部を停止させる請求項１記載のエスカレータ。
【請求項３】
音声を生成する発声部をさらに備え、
前記制御部は、
前記駆動部を停止させる際、前記発声部から警報を音声にて発報する請求項２記載のエスカレータ。